(57)【要約】【課題】大量の画像から所望の画像を容易に探し出すことができる画像プリント装置及び注文受付端末を提供する。【解決手段】画像プリント装置は、画像データを入力する入力部１１と、前記画像データを縮小した複数の第１サムネイル画像を表示する第１表示部１０Ａと、前記画像データを縮小した第２サムネイル画像を、第１表示部１０Ａにおける前記第１サムネイル画像の表示数よりも多く表示する第２表示部１０Ｂと、前記第１サムネイル画像の選択を含む印刷注文の入力を受け付ける受付部と、前記印刷注文に基づいて前記画像データを印刷するプリンタ１３と、前記第２サムネイル画像が選択されると、選択された第２サムネイル画像に対応する第１サムネイル画像を第１表示部１０Ａに表示させる制御部１４０と、を備える。【選択図】図２
2016016559.tif 000002
【特許請求の範囲】
【請求項１】
画像データを入力する入力部と、
前記画像データを縮小した複数の第１サムネイル画像を表示する第１表示部と、
前記画像データを縮小した第２サムネイル画像を、前記第１表示部における前記第１サムネイル画像の表示数よりも多く表示する第２表示部と、
前記第１サムネイル画像の選択を含む印刷注文の入力を受け付ける受付部と、
前記印刷注文に基づいて前記画像データを印刷するプリンタと、
前記第２サムネイル画像が選択されると、選択された第２サムネイル画像に対応する第１サムネイル画像を前記第１表示部に表示させる制御部と、
を備える画像プリント装置。
【請求項２】
前記第２表示部における前記第２サムネイル画像の表示サイズは、前記第１表示部における前記第１サムネイル画像の表示サイズよりも小さいことを特徴とする請求項１に記載の画像プリント装置。
【請求項３】
前記第１表示部は前記第１サムネイル画像を撮影日時順に表示し、
前記第２表示部は前記第２サムネイル画像を撮影日時順に表示し、
前記制御部は、前記第２サムネイル画像が選択されると、選択された第２サムネイル画像に対応する第１サムネイル画像、及びこの第１サムネイル画像と撮影日時が前後する複数の第１サムネイル画像を前記第１表示部に表示させることを特徴とする請求項１又は２に記載の画像プリント装置。
【請求項４】
前記第１表示部における第１サムネイル画像の表示順序の条件と、前記第２表示部における第２サムネイル画像の表示順序の条件とが同一であることを特徴とする請求項１乃至３のいずれかに記載の画像プリント装置。
【請求項５】
前記制御部は、前記第１表示部に表示する第１サムネイル画像の絞り込み処理を行った場合、絞り込み結果に対応する第２サムネイル画像を前記第２表示部に表示させることを特徴とする請求項１乃至４のいずれかに記載の画像プリント装置。
【請求項６】
画像データを入力する入力部と、
前記画像データを縮小した複数の第１サムネイル画像を表示する第１表示部と、
前記画像データを縮小した第２サムネイル画像を、前記第１表示部における前記第１サムネイル画像の表示数よりも多く表示する第２表示部と、
前記第１サムネイル画像の選択を含む印刷注文の入力を受け付ける受付部と、
前記印刷注文及び前記画像データを外部へ送信する通信部と、
前記第２サムネイル画像が選択されると、選択された第２サムネイル画像に対応する第１サムネイル画像を前記第１表示部に表示させる制御部と、
を備える注文受付端末。
【発明の詳細な説明】
【技術分野】
【０００１】
本発明は、利用者が所有する記憶媒体や携帯端末等に記憶されている画像データをプリント出力する画像プリント装置、及び画像データのプリント注文を受け付ける注文受付端末に関する。
【背景技術】
【０００２】
デジタルカメラやスマートフォン等で撮影した画像のデジタルデータを読み込んでプリント出力する画像プリント装置が様々な場所に設置されている。例えば、利用者は、デジタルカメラで撮影した画像データが記憶された記憶媒体を持参し、記憶媒体内の画像データを画像プリント装置に読み込ませる。画像プリント装置は、記憶媒体から読み込んだ画像データの画像をページ単位でサムネイル表示し、利用者に提示する。そして、利用者がプリントする画像を選択し、プリント枚数等を指定すると、画像プリント装置は画像をプリント出力する。
【０００３】
記憶媒体に大量の画像データが記憶されている場合、利用者はプリントを所望する画像を選択するために、ページの切り替えを何度も行い、大量のページを確認することになるため、所望の画像を探し出すのに非常に手間がかかっていた。
【先行技術文献】
【特許文献】
【０００４】
【特許文献１】特開２０１２−３５６８号公報
【発明の概要】
【発明が解決しようとする課題】
【０００５】
本発明は、上記従来の実状に鑑みてなされたものであり、大量の画像から所望の画像を容易に探し出すことができる画像プリント装置及び注文受付端末を提供することを課題とする。
【課題を解決するための手段】
【０００６】
本発明の一態様による画像プリント装置は、画像データを入力する入力部と、前記画像データを縮小した複数の第１サムネイル画像を表示する第１表示部と、前記画像データを縮小した第２サムネイル画像を、前記第１表示部における前記第１サムネイル画像の表示数よりも多く表示する第２表示部と、前記第１サムネイル画像の選択を含む印刷注文の入力を受け付ける受付部と、前記印刷注文に基づいて前記画像データを印刷するプリンタと、前記第２サムネイル画像が選択されると、選択された第２サムネイル画像に対応する第１サムネイル画像を前記第１表示部に表示させる制御部と、を備えるものである。
【０００７】
本発明の一態様による画像プリント装置は、前記第２表示部における前記第２サムネイル画像の表示サイズは、前記第１表示部における前記第１サムネイル画像の表示サイズよりも小さいことが好ましい。
【０００８】
本発明の一態様による画像プリント装置において、前記第１表示部は前記第１サムネイル画像を撮影日時順に表示し、前記第２表示部は前記第２サムネイル画像を撮影日時順に表示し、前記制御部は、前記第２サムネイル画像が選択されると、選択された第２サムネイル画像に対応する第１サムネイル画像、及びこの第１サムネイル画像と撮影日時が前後する複数の第１サムネイル画像を前記第１表示部に表示させてもよい。
【０００９】
本発明の一態様による画像プリント装置において、前記第１表示部における第１サムネイル画像の表示順序の条件と、前記第２表示部における第２サムネイル画像の表示順序の条件とが同一であることが好ましい。
【００１０】
本発明の一態様による画像プリント装置において、前記制御部は、前記第１表示部に表示する第１サムネイル画像の絞り込み処理を行った場合、絞り込み結果に対応する第２サムネイル画像を前記第２表示部に表示させることが好ましい。
【００１１】
本発明の一態様による注文受付端末は、画像データを入力する入力部と、前記画像データを縮小した複数の第１サムネイル画像を表示する第１表示部と、前記画像データを縮小した第２サムネイル画像を、前記第１表示部における前記第１サムネイル画像の表示数よりも多く表示する第２表示部と、前記第１サムネイル画像の選択を含む印刷注文の入力を受け付ける受付部と、前記印刷注文及び前記画像データを外部へ送信する通信部と、前記第２サムネイル画像が選択されると、選択された第２サムネイル画像に対応する第１サムネイル画像を前記第１表示部に表示させる制御部と、を備えるものである。
【発明の効果】
【００１２】
本発明によれば、第１サムネイル画像を第１表示部に表示し、第１表示部とは異なる第２表示部に、第１表示部における第１サムネイル画像の表示数よりも多くの第２サムネイル画像を表示することで、一度に多数の画像を確認できる。また、第２サムネイル画像が選択されると、選択された第２サムネイル画像に対応する第１サムネイル画像を第１表示部に表示するため、画像を詳細に確認でき、所望の画像を容易に探し出すことができる。
【図面の簡単な説明】
【００１３】
【図１】本発明の実施形態に係る画像プリント装置のブロック構成図である。
【図２】同実施形態に係る画像プリント装置の概略斜視図である。
【図３】第１タッチパネルのサムネイル画面の一例を示す図である。
【図４】第２タッチパネルのサムネイル画面の一例を示す図である。
【図５】第２サムネイル画像選択の一例を示す図である。
【図６】第２サムネイル画像選択後の第１タッチパネルのサムネイル画面の一例を示す図である。
【図７】同実施形態に係る画像プリント処理を説明するフローチャートである。
【図８】変形例による画像プリント装置の概略斜視図である。
【発明を実施するための形態】
【００１４】
以下、本発明の実施の形態を図面に基づいて説明する。
【００１５】
図１は本実施形態による画像プリント装置のブロック構成図であり、図２は画像プリント装置の概略斜視図である。図１に示すように、画像プリント装置は、第１タッチパネル１０Ａ、第２タッチパネル１０Ｂ、データ入力部１１、課金部１２、プリンタ１３、ＣＰＵ（中央処理部）１４、ディスク装置（記憶部）１５、及びメインメモリ１６を有する。画像プリント装置の各部はバスを介して接続されている。
【００１６】
図２に示すように、第１タッチパネル１０Ａは筐体１の天板１Ａ部分に設けられ、第２タッチパネル１０Ｂは筐体１の上部に設けられている。第１タッチパネル１０Ａへの入力操作を行い易いように、天板１Ａ及び第１タッチパネル１０Ａの画面は、手前側が低く奥側が高くなるようにやや傾斜している。第２タッチパネル１０Ｂのディスプレイ画面は、略垂直に立った状態となっている。第１タッチパネル１０Ａと第２タッチパネル１０Ｂのディスプレイ画面は同程度の大きさとなっている。
【００１７】
第１タッチパネル１０Ａ及び第２タッチパネル１０Ｂは、画像を含む情報を表示したり、利用者から各種指示の入力を受け付けたりする。第１タッチパネル１０Ａは、画像プリント装置への画像データの入力方法（例えば、記憶媒体の使用、携帯端末からの赤外線通信、又はスマートフォンからの無線通信）選択画面、注意事項の表示画面、プリント出力する画像データの選択やプリント枚数指定などを受け付ける注文画面（図３参照）、注文内容や請求金額の確認画面等の基本操作画面を表示する。第２タッチパネル１０Ｂは、後述するように、多数のサムネイル画像（第２サムネイル画像４０、図４参照）を表示する。
【００１８】
データ入力部１１は、デジタルカメラ等で撮影した画像データが記憶された記憶媒体から画像データを読み取ることで、画像データの入力を受け付ける。データ入力部１１は、様々な記憶媒体に対応したデータ読取装置を有している。また、データ入力部１１は、赤外線通信又は無線通信により携帯端末から画像データの入力を受け付けることができる。図２に示すように、データ入力部１１は筐体１の上部、具体的には筐体１の天板１Ａと第２タッチパネル１０Ｂとの間に設けられている。
【００１９】
図２に示すように、課金部１２は、筐体１の前面側に設けられた硬貨投入口１２Ａ、紙幣投入口１２Ｂ、釣銭返却口１２Ｃを有し、硬貨投入口１２Ａ及び紙幣投入口１２Ｂから投入された貨幣を識別計数し、釣銭を釣銭返却口１２Ｃから放出する。また、課金部１２は、電子マネーによる決済機能を有していてもよい。また、課金部１２は、プリント枚数、単価、請求金額、投入金額、釣銭額等をレシートに印字して出力するレシートプリンタを有していてもよい。
【００２０】
プリンタ１３は、昇華型又はインクジェット型などの高解像度カラープリンタであり、注文内容に基づいて、画像データをプリントして出力する。プリンタ１３は筐体１内に収容されている。プリンタ１３は複数台設置されていてもよい。図２に示すように、筐体１の前面側には、透明な開閉扉２が開閉自在に設けられている。開閉扉２の裏面側には、プリンタ１３がプリント出力したプリント物が集積される集積部（図示せず）が設けられており、開閉扉２を開けると集積部に集積されたプリント物を取り出せるようになっている。
【００２１】
ディスク装置１５は、画像処理プログラム、制御プログラム、及び画像データに対して合成可能な編集アイテムを格納する。ディスク装置１５は例えばハードディスクドライブである。
【００２２】
ＣＰＵ１４は、ディスク装置１５内の画像処理プログラムをメインメモリ１６にロードして、画像処理プログラムを実行する。画像処理プログラムの実行に伴い、メインメモリ１６には、入力された画像データ、画像データを縮小したサムネイル画像用データ、注文内容などを格納する領域が確保される。
【００２３】
また、ＣＰＵ１４は、ディスク装置１５内の制御プログラムをメインメモリ１６にロードし、制御プログラムを実行することで、第１タッチパネル１０Ａ、第２タッチパネル１０Ｂ、課金部１２及びプリンタ１３を制御する制御部１４０として機能する。
【００２４】
制御部１４０は、データ入力部１１を介して記憶媒体や携帯端末から画像データが入力されると、図３に示すように、注文画面を作成し、画像データを縮小した第１サムネイル画像３０を第１タッチパネル１０Ａに表示する。データ入力部１１を介して入力された画像データの数が多く、１画面で表示しきれない場合は、ページ切替ボタン３１を押下（接触）してページを切り替える、またはスクロールバー３５を操作する、または第１タッチパネル１０Ａの画面上でフリック操作を行うことにより、全ての画像データについての第１サムネイル画像３０を確認することができる。第１サムネイル画像３０の両側部には拡大ボタン３２及び編集ボタン３３が設けられ、下部には、その画像のプリント枚数を指定するプリント枚数増減ボタン３４が設けられている。
【００２５】
拡大ボタン３２を押下すると、このサムネイル画像を拡大表示することができる。編集ボタン３３を押下すると、第１タッチパネル１０Ａの表示が、この画像を編集する編集画面に切り替わり、フレームやスタンプ等の編集アイテムを画像に合成したり、画像に文字を書き込んだりすることができる。プリント枚数増減ボタン３４を押下すると、各画像のプリント枚数を指定し、印刷注文を入力することができる。
【００２６】
制御部１４０は、第１タッチパネル１０Ａに第１サムネイル画像３０を表示するとともに、図４に示すように、画像データを縮小した第２サムネイル画像４０を第２タッチパネル１０Ｂに表示する。第２サムネイル画像４０は、第１サムネイル画像３０よりも画像データを縮小したものであり、表示サイズが小さくなっている。そのため、第２タッチパネル１０Ｂにおける第２サムネイル画像４０の表示数は、第１タッチパネル１０Ａにおける第１サムネイル画像３０の表示数よりも多くなっている。例えば、第２タッチパネル１０Ｂは３００個の第２サムネイル画像４０を表示する。
【００２７】
データ入力部１１を介して入力された画像データの数が多く、第２タッチパネル１０Ｂの１画面で表示しきれない場合は、ページ切替ボタン４１を押下（接触）してページを切り替える、またはスクロールバー４５を操作する、または第２タッチパネル１０Ｂの画面上でフリック操作を行うことにより、全ての画像データについての第２サムネイル画像４０を確認することができる。
【００２８】
例えば、第２サムネイル画像４０は撮影日時順に表示され、図４に示すように、第２タッチパネル１０Ｂは撮影日も表示する。これにより、利用者は、探している画像が第２タッチパネル１０Ｂのどのあたりに表示されているかを容易に知ることができる。
【００２９】
利用者が第２タッチパネル１０Ｂに表示されている第２サムネイル画像４０を選択すると、制御部１４０は、選択された第２サムネイル画像４０に対応する第１サムネイル画像３０が表示されるように第１タッチパネル１０Ａの表示を切り替える。第２サムネイル画像４０に対応する第１サムネイル画像３０とは、同じ画像、すなわちサムネイル画像を生成するために用いられた元の画像データが同じものである。
【００３０】
例えば、図５に示すように、第２タッチパネル１０Ｂにおいて、第２サムネイル画像４０Ａを選択する場合を考える。第２サムネイル画像４０Ａが選択されると、制御部１４０は、図６に示すように、第２サムネイル画像４０Ａに対応する第１サムネイル画像３０Ａが表示されるように第１タッチパネル１０Ａの表示を切り替える。例えば、制御部１４０は、第１サムネイル画像３０Ａが第１タッチパネル１０Ａの中央に表示されるようにする。これにより、第１タッチパネル１０Ａには、第１サムネイル画像３０Ａと撮影日時が前後するサムネイル画像が表示される。
【００３１】
第２タッチパネル１０Ｂに表示される第２サムネイル画像４０は表示サイズが小さく、利用者は、どのような画像であるか大まかには判断できるが、詳細に確認することは困難である。例えば、同じ背景で複数回撮影した画像の中にプリントしたい画像がある場合、第２サムネイル画像４０では写り具合など細かい点を確認することが難しく、利用者は背景が同じ複数の第２サムネイル画像４０のいずれかを（適当に）選択する。第１タッチパネル１０Ａにおいて、選択された第２サムネイル画像４０Ａに対応する第１サムネイル画像３０Ａ、及び第１サムネイル画像３０Ａと撮影日時が前後する第１サムネイル画像３０を表示することで、所望の画像が第１タッチパネル１０Ａに表示されやすくなり、所望の画像を容易に探し出すことができる。
【００３２】
このように、本実施形態による画像プリント装置では、第１タッチパネル１０Ａに第１サムネイル画像３０を表示するとともに、第２タッチパネル１０Ｂに第１サムネイル画像３０よりもサイズの小さい第２サムネイル画像４０を一度に多数表示する。また、画像プリント装置は、第２サムネイル画像４０が選択されると、選択された第２サムネイル画像４０に対応する第１サムネイル画像３０が表示されるように、第１タッチパネル１０Ａのサムネイル画面を切り替える。
【００３３】
第２タッチパネル１０Ｂにおいて第２サムネイル画像４０を一度に多数表示するため、第１タッチパネル１０Ａのサムネイル画面において何度もページ切り替えを行わなくても、所望の画像を速やかに探し出すことができる。また、第２サムネイル画像４０が選択されると、選択された第２サムネイル画像４０に対応する第１サムネイル画像３０を第１タッチパネル１０Ａに表示するため、所望の画像のプリント注文を速やかに行うことができる。
【００３４】
上述した第１タッチパネル１０Ａ及び第２タッチパネル１０Ｂの表示制御は制御部１４０により行われる。また、制御部１４０は、第１タッチパネル１０Ａを介した印刷注文の入力を受け付ける受付部としての機能を有し、印刷注文に基づいて画像データをプリンタ１３へ送信し、プリント出力するように制御する。
【００３５】
次に、図７に示すフローチャートを用いて、本実施形態に係る画像プリントの処理の流れを説明する。
【００３６】
（ステップＳ１０１）データ入力部１１が画像データの入力を受け付ける。
【００３７】
（ステップＳ１０２）制御部１４０が、第１タッチパネル１０Ａのディスプレイに、画像データを縮小した第１サムネイル画像３０を表示する。また、制御部１４０が、第２タッチパネル１０Ｂのディスプレイに、画像データをさらに縮小した第２サムネイル画像４０を表示する。第１サムネイル画像３０の表示数よりも、第２サムネイル画像４０の表示数の方が多くなる。
【００３８】
（ステップＳ１０３）第２タッチパネル１０Ｂにおいて第２サムネイル画像４０が選択された場合はステップＳ１０４へ進む。
【００３９】
（ステップＳ１０４）制御部１４０が、ステップＳ１０３で選択された第２サムネイル画像４０に対応する第１サムネイル画像３０が表示されるように、第１タッチパネル１０Ａのサムネイル画面の表示を切り替える。
【００４０】
（ステップＳ１０５）利用者が、第１タッチパネル１０Ａにおいて、プリント注文する画像（第１サムネイル画像３０）を選択する。このとき、編集ボタン３３を押下し、編集画面にて画像の編集を行ってもよい。
【００４１】
（ステップＳ１０６）プリント枚数増減ボタン３４を押下してプリント枚数を入力する。
【００４２】
（ステップＳ１０７）注文が完了した場合はステップＳ１０８に進む。注文を続ける場合はステップＳ１０３に戻る。
【００４３】
（ステップＳ１０８）利用者からの注文内容に基づく請求金額が第１タッチパネル１０Ａに表示される。利用者が貨幣を投入すると、課金部１２は投入された貨幣を計数し、釣銭の出金やレシートの印字等を行う。
【００４４】
（ステップＳ１０９）制御部１４０が、プリンタ１３に、注文内容に基づく画像データのプリントを実行させる。
【００４５】
以上のように、本実施形態による画像プリント装置は、第１タッチパネル１０Ａに第１サムネイル画像３０を表示するとともに、第２タッチパネル１０Ｂに第１サムネイル画像３０よりもサイズの小さい第２サムネイル画像４０を一度に多数表示するため、データ入力部１１が大量の画像データを取り込んだ場合でも、第２タッチパネル１０Ｂにおいて所望の画像を容易に探し出すことができる。
【００４６】
また、画像プリント装置は、第２サムネイル画像４０が選択されると、選択された第２サムネイル画像４０に対応する第１サムネイル画像３０が表示されるように、第１タッチパネル１０Ａのサムネイル画面を切り替える。第１タッチパネル１０Ａにおける第１サムネイル画像３０の表示サイズは第２サムネイル画像４０よりも大きいため、利用者は、自身が第２タッチパネル１０Ｂで選択した画像について、写り具合など詳細な点を第１タッチパネル１０Ａにて容易に確認することができる。また、所望の画像についてのプリント注文を速やかに行うことができる。
【００４７】
上記実施形態では、筐体１内にプリンタ１３を備え、その場でプリント物を出力する画像プリント装置について説明したが、プリンタ１３を省略し、プリント注文の受け付けを行う注文受付端末としてもよい。この場合、注文受付端末には、プリント注文された画像データ及び注文内容を、有線又は無線ネットワークを介してプリンタサーバへ送信する通信部が設けられる。利用者は郵送等によってプリント物を受け取る。
【００４８】
上記実施形態において、第２タッチパネル１０Ｂにおける第２サムネイル画像４０の表示順は、第１タッチパネル１０Ａにおける第１サムネイル画像３０の表示順に連動させることが好ましい。例えば、第１タッチパネル１０Ａにおいて、第１サムネイル画像３０を撮影日時の新しい順という条件で表示する場合、第２タッチパネル１０Ｂにおいても第２サムネイル画像４０を撮影日時の新しい順という条件で表示する。
【００４９】
第１タッチパネル１０Ａのサムネイル画面（注文画面）において、画像の絞り込み操作を行った場合、第２タッチパネル１０Ｂは絞り込み結果の画像のみを表示するようにしてもよい。
【００５０】
第２サムネイル画像４０の表示サイズは一定でもよいし、入力された画像データの数から決定してもよい。例えば、利用者が持参した記憶媒体からデータ入力部１１を介して入力された画像データの数が１００個の場合の第２サムネイル画像４０のサイズを、入力された画像データの数が２００個の場合の第２サムネイル画像４０のサイズの２倍程度としてもよい。このように、第２タッチパネル１０Ｂの表示領域を有効に活用することで、第２サムネイル画像４０が確認しやすくなる。
【００５１】
上記実施形態では、第１タッチパネル１０Ａ及び第２タッチパネル１０Ｂの上下に配置された２つのタッチパネルを備える構成について説明したが、１つの大型タッチパネルの表示領域を上下に二分し、下側を第１タッチパネル１０Ａ、上側を第２タッチパネル１０Ｂのように機能させてもよい。例えば、図８に示すように、筐体１の上部から利用者の手元側まで延びる天板１Ｂの平坦な傾斜面に大型のタッチパネル１０Ｃを設け、タッチパネル１０Ｃの上側と下側とを個別に表示制御する。この場合、データ入力部１１は、例えば筐体１の前面側に設けられる。また、横長の大型タッチパネルの表示領域を左右に二分し、一方を第１タッチパネル１０Ａ、他方を第２タッチパネル１０Ｂのように機能させてもよい。
【００５２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５３】
１  筐体
１Ａ  天板
２  開閉扉
１０Ａ  第１タッチパネル
１０Ｂ  第２タッチパネル
１１  データ入力部
１２  課金部
１３  プリンタ
１４  ＣＰＵ
１５  ディスク装置
１６  メインメモリ
３０  第１サムネイル画像
４０  第２サムネイル画像
【図１】
2016016559.tif 000003
【図２】
2016016559.tif 000004
【図３】
2016016559.tif 000005
【図４】
2016016559.tif 000006
【図５】
2016016559.tif 000007
【図６】
2016016559.tif 000008
【図７】
2016016559.tif 000009
【図８】
2016016559.tif 000010